(57)【特許請求の範囲】
【請求項１】
第１照明装置と、
前記第１照明装置と異なる機能を有する第２照明装置と、
前記第１照明装置と前記第２照明装置に対し、制御コマンドを送信するコントローラと、を備え、
前記制御コマンドには、複数のパラメータを含む制御情報と、前記複数のパラメータのそれぞれが有効であるか無効であるかを示す判別情報と、が含まれ、
前記第１照明装置は、前記複数のパラメータのうち前記第１照明装置の制御に反映させるパラメータである第１パラメータが前記判別情報により有効とされている場合に、前記制御情報に含まれる前記第１パラメータに従って動作し、
前記第２照明装置は、前記複数のパラメータのうち前記第２照明装置の制御に反映させるパラメータである第２パラメータが前記判別情報により有効とされている場合に、前記制御情報に含まれる前記第２パラメータに従って動作することを特徴とする照明制御システム。
【請求項２】
前記制御情報は、０〜１００％のいずれかの値である調光率、予め定められた調光率に遷移するのに費やす時間又はその時間の一定割合の時間であるフェード時間、色温度、及び配光のパラメータを含むことを特徴とする請求項１に記載の照明制御システム。
【請求項３】
前記第１照明装置と前記第２照明装置は、調光用照明装置、色可変用照明装置、又は配光可変用照明装置であることを特徴とする請求項１又は２に記載の照明制御システム。
【請求項４】
前記第１照明装置又は前記第２照明装置は制御ユニットを有し、
前記制御ユニットは優先順位付けされた制御の種類を示す制御種類情報を記憶する記憶部を有し、
前記制御ユニットは、制御情報を受信した場合、前記制御種類情報の優先順位に基づいて前記制御情報の制御を実行することを特徴とする請求項１〜３のいずれか１項に記載の照明制御システム。
【請求項５】
前記制御種類情報は、マニュアル制御、自動制御、照度センサ制御、又は人感不在制御のいずれか１つを示すことを特徴とする請求項４に記載の照明制御システム。
【請求項６】
有線又は無線で前記コントローラと通信する人感センサと、
有線又は無線で前記コントローラと通信する照度センサと、
有線又は無線で前記コントローラと通信する壁スイッチと、を備え、
前記コントローラは、前記人感センサ及び前記照度センサの検出結果、並びに前記壁スイッチの操作状態から、前記制御コマンドを作成することを特徴とする請求項１〜５のいずれか１項に記載の照明制御システム。
【請求項７】
前記コントローラは、予め定められたスケジュールに従い、前記制御コマンドを送信することを特徴とする請求項１〜５のいずれか１項に記載の照明制御システム。
【発明の詳細な説明】
【技術分野】
【０００１】
本発明は、複数の照明装置を制御する照明制御システムに関する。
【背景技術】
【０００２】
特許文献１には、複数の照明装置を制御する照明システムが開示されている。
【先行技術文献】
【特許文献】
【０００３】
【特許文献１】特開２００８−１０３３５２号公報
【発明の概要】
【発明が解決しようとする課題】
【０００４】
照明制御システムは、複数の照明装置と、複数の照明装置に対し制御コマンドを送信するコントローラを備える。照明装置は受信した制御コマンドに基づき点灯又は調光制御を行う。調光制御には、照明装置の調光率の制御、及び例えば昼白色ＬＥＤと電球色ＬＥＤの調光率のバランスを調整し任意の色温度で点灯させる制御などが含まれる。
【０００５】
コントローラにより複数の照明装置を制御するためには、まずコントローラにより現在システムに接続されている照明装置の種類を認識し、それぞれの照明装置に適合する制御コマンドを選択して送信する必要があった。よって、コントローラと複数の照明装置との間のデータ通信が複雑となり、制御スピードを高めることができない問題があった。
【０００６】
本発明は、上述のような課題を解決するためになされたもので、迅速に複数の照明装置を制御できる照明制御システムを提供することを目的とする。
【課題を解決するための手段】
【０００７】
本願の発明に係る照明制御システムは、第１照明装置と、該第１照明装置と異なる機能を有する第２照明装置と、該第１照明装置と該第２照明装置に対し、制御コマンドを送信するコントローラと、を備え、該制御コマンドには、複数のパラメータを含む制御情報と、該複数のパラメータのそれぞれが有効であるか無効であるかを示す判別情報と、が含まれ、該第１照明装置は、該複数のパラメータのうち該第１照明装置の制御に反映させるパラメータである第１パラメータが該判別情報により有効とされている場合に、該制御情報に含まれる該第１パラメータに従って動作し、該第２照明装置は、該複数のパラメータのうち該第２照明装置の制御に反映させるパラメータである第２パラメータが該判別情報により有効とされている場合に、該制御情報に含まれる該第２パラメータに従って動作することを特徴とする。
【発明の効果】
【０００８】
本発明によれば、各照明装置で共通に利用できる制御コマンドを各照明装置に送信するので、迅速に複数の照明装置を制御できる。
【図面の簡単な説明】
【０００９】
【図１】実施の形態１に係る照明制御システムのブロック図である。
【図２】第３照明装置の斜視図である。
【図３】制御コマンドが含む情報を示す図である。
【図４】実施の形態１に係るコントローラと制御ユニットの機能ブロック図である。
【図５】実施の形態１に係るコントローラと制御ユニットのハードウエア構成図である。
【図６】実施の形態３に係る照明制御システムを示す図である。
【発明を実施するための形態】
【００１０】
本発明の実施の形態に係る照明制御システムについて図面を参照して説明する。同じ又は対応する構成要素には同じ符号を付し、説明の繰り返しを省略する場合がある。
【００１１】
実施の形態１．
図１は本発明の実施の形態１に係る照明制御システムのブロック図である。この照明制御システムはコントローラ１０を備えている。コントローラ１０は無線信号又は有線信号により通信ユニット１２、３０と通信を行う。
【００１２】
通信ユニット１２には第１照明装置１４が接続されている。第１照明装置１４は、点灯回路として機能する制御ユニット１６と制御ユニット１６によって制御されるＬＥＤ電源１８が設けられている。第１照明装置１４は調光率を変化させることができる調光用照明装置である。ＬＥＤを蛍光ランプ又は白熱電球に変えてもよい。
【００１３】
通信ユニット１２には、エリア内の人の存在を検知する人感センサ２０、同じくエリア内の照度を検知する照度センサ２２、第１照明装置１４をオン、オフする壁スイッチ２４が接続されている。第１照明装置１４、人感センサ２０、照度センサ２２、及び壁スイッチ２４は、２線式シリアル通信で双方向通信を行う信号線を介して通信ユニット１２に接続される。
【００１４】
通信ユニット３０には、第２照明装置３２、第３照明装置４０及び壁スイッチ４８が接続されている。第２照明装置３２は電球色ＬＥＤ電源３６、昼白色ＬＥＤ電源３８、及びこれらを制御する制御ユニット３４を備えている。制御ユニット３４は電球色ＬＥＤ電源３６と昼白色ＬＥＤ電源３８に対し個別に調光率信号（ＰＷＭ信号又はデジタル信号）を発するために２つの出力部を有している。
【００１５】
制御ユニット３４は、電球色ＬＥＤ電源３６と昼白色ＬＥＤ電源３８の調光バランスを算出し、指令された調光率と色温度を実現する。つまり、第２照明装置３２は色可変用照明装置である。なお、制御ユニット３４を省略し、電球色ＬＥＤ電源３６と昼白色ＬＥＤ電源３８が通信ユニット３０から信号を受けても良い。他の制御ユニットも同様に省略可能である。
【００１６】
第３照明装置４０は、集光部ＬＥＤ用電源４４、拡散部ＬＥＤ用電源４６、及びこれらを制御する制御ユニット４２を備えている。図２は、第３照明装置４０の斜視図である。光源の中心部分に集光部４４ａがあり、光源の外側部分に拡散部４６ａがある。第３照明装置４０は、光源の集光部４４ａと拡散部４６ａを２つの別々の回路で制御するダウンライト形状の光源となっている。
【００１７】
図１の第３照明装置４０の説明に戻る。制御ユニット４２は集光部ＬＥＤ用電源４４と拡散部ＬＥＤ用電源４６に対し個別に調光率信号（ＰＷＭ信号又はデジタル信号)を発するために２つの出力部を有している。集光部ＬＥＤ用電源４４と拡散部ＬＥＤ用電源４６がそれぞれ受信した調光率信号のとおり制御されることで、任意の配光を得る。つまり、第３照明装置４０は配光可変用照明装置である。このように、第１照明装置１４、第２照明装置３２、及び第３照明装置４０は、それぞれ異なる機能を有している。
【００１８】
照明制御システムはユーザの遠隔操作によってコントローラ１０の機能などを設定するリモコン５０を備えている。また、パソコン画面から機能設定したりシステムの状態をモニタしたりするために用いるＰＣ設定器５２を備えている。リモコン５０とＰＣ設定器５２は有線又は無線でコントローラ１０又は通信ユニット１２、３０と通信する。
【００１９】
コントローラ１０にはゲートウェイ６０及び中央管理装置６２が有線接続されている。ゲートウェイ６０及び中央管理装置６２はコントローラ１０の上位システムにあたる。ゲートウェイ６０は、コントローラ１０が接続される有線シリアル通信とＥｔｈｅｒｎｅｔ（登録商標）の変換機能を有し、データの送受信を行う部分である。コントローラ１０は、通信ユニット１２、３０の下位システムの設定及び制御状態の管理をする。そして、中央管理装置６２は、単数又は複数のコントローラ１０のシステム設定、状態モニタ、及び一括制御を行う。中央管理装置６２は例えばパソコンである。中央管理装置６２のインターフェースはＥｔｈｅｒｎｅｔ（登録商標）であるので、中央管理装置６２を、空調機器等の他の設備機器と連動させることが可能である。中央管理装置６２からの設定、調光制御、状態モニタによって、照明装置１４、３２、４０の調光制御又は故障等の状態をモニタすることができる。
【００２０】
コントローラ１０から通信ユニット１２、３０を経由して、第１照明装置１４、第２照明装置３２及び第３照明装置４０に制御コマンドが送信される。図３は、制御コマンドが含む情報を示す図である。制御コマンドには、複数のパラメータを含む制御情報と、当該複数のパラメータのそれぞれが有効であるか無効であるかを示す判別情報とが含まれている。まず、制御情報について説明する。制御情報は、調光率、フェード時間、色温度、及び配光のパラメータを含んでいる。ここでは制御コマンドとして調光指令コマンドを例示している。
【００２１】
調光率は、消灯を意味する０％から全灯を意味する１００％の範囲で定められるので、０〜１００％のいずれかの値である。
【００２２】
フェード時間とは、予め定められた調光率に遷移するのに費やす時間である。言い換えれば、フェード時間とは、予め定められた調光率を１００％実現するまでに費やす時間(秒数)を表す。フェード時間が０秒の時はフェードがかからない。フェード時間が４６８０秒の時は、予め定められた調光率を１００％実現するのに４６８０秒かかる傾き（単位時間当たりの調光率の変化）でフェード制御を行う。例えばフェード時間が０〜１８０秒の場合は１秒単位で調光率を変化させ、フェード時間が１８１〜４６８０秒の場合は６０秒単位で調光率を変化させることができる。なお、フェード時間を調光率が１００％変化するのに費やす時間で説明したが、フェード時間はこれに限定されず、例えば調光率１０％、１％あたりの時間で表すように構成してもよい。
【００２３】
色温度は、ケルビン［Ｋ］で表され、例えば、２０００〜７０００Ｋを指定範囲とする。ケルビンを単位とするのではなく、色度図の座標又はＲＧＢ値によって色温度を指示しても良い。
【００２４】
配光（集光率）は、光源の中心部分の集光部４４ａと、集光部４４ａの外側の拡散部４６ａとの明るさのバランスを示すものである。集光部４４ａのみを点灯する場合は集光率１００％とし集光部４４ａの点灯率を１００％とし拡散部４６ａの点灯率を０％とする。他方、拡散部４６ａのみを点灯する場合は集光率０％とし、集光部４４ａの点灯率を０％とし拡散部４６ａの点灯率を１００％とする。集光部４４ａと拡散部４６ａの調光率の比率が１：１の場合には、集光率を５０％とし、集光部４４ａの点灯率と拡散部４６ａの点灯率を５０％とする。このように実現したい配光に応じて点灯率の比率を適宜変更する。
【００２５】
制御情報の４つのパラメータはそれぞれ１バイトのデータ量である。したがって、制御情報全体としては４バイトのデータ量である。
【００２６】
次に判別情報について説明する。判別情報は１バイトの情報であり、上位４ビットの情報と下位４ビットの情報に大別される。
【００２７】
判別フラグ（判別情報）の上位４ビットは、調光率、フェード時間、色温度及び配光（集光率）の４つのパラメータがそれぞれ有効であるかを示す。該当するビットが１の場合は有効、０の場合は無効とし、複数のパラメータが同時に有効である場合には、複数のビットを同時に１とする。例えば、全てのパラメータが有効な場合には、全て１とする。コントローラ１０は、同一システム内の異なる種類の第１〜第３照明装置１４、３２、４０をコマンド宛先として、制御情報と判別情報を含む制御コマンドを通信ユニット１２、３０を経由して送信する。この送信は１回の送信となる。
【００２８】
制御コマンドを受信した第１照明装置１４は、複数のパラメータのうち第１照明装置１４の制御に反映させるパラメータである第１パラメータ（調光率）が判別情報により有効とされている場合に、制御情報に含まれる第１パラメータ（調光率）に従って動作する。
【００２９】
第２照明装置３２は、第１照明装置１４と同じタイミングで送信された制御コマンドを受信すると複数のパラメータのうち第２照明装置３２の制御に反映させるパラメータである第２パラメータ（調光率と色温度）が判別情報により有効とされている場合に、制御情報に含まれる第２パラメータ（調光率と色温度）に従って動作する。
【００３０】
第３照明装置４０は、第１、第２照明装置１４、３２と同じタイミングで送信された制御コマンドを受信すると複数のパラメータのうち第３照明装置４０の制御に反映させるパラメータである第３パラメータ（配光と調光率）が判別情報により有効とされている場合に、制御情報に含まれる第３パラメータ（配光と調光率）に従って動作する。なお、制御情報に含まれるフェード時間の情報は、第１〜第３照明装置１４、３２、４０の少なくとも１つの制御に反映させる。
【００３１】
このように、コマンド宛先とする同一システム内の異なる種類の第１〜第３照明装置１４、３２、４０に対して、コントローラ１０は共通フォーマットの制御コマンドを１回送信するのみでそれぞれの照明装置を同時に制御できる。しかも、制御コマンドを受けた各照明装置は、判別情報により有効であるパラメータを確認した上で、照明装置自身が機能を持つパラメータに従って、調光制御を行う。第１〜第３照明装置１４、３２、４０は受信した共通フォーマットの制御情報から必要なパラメータのみを選択して制御できる。このように、複数の照明装置に対して共通の１つの制御コマンドを提供することで、コントローラがコントローラに接続された照明装置の種類を認識し照明装置ごとに制御コマンドを提供する場合と比較して、データ通信を簡素化できる。つまり、上記の制御コマンドを用いることでコントローラ１０と複数の照明装置との間のデータ通信が簡素化されるので、迅速に複数の照明装置を制御できる。
【００３２】
判別フラグ（判別情報）の下位４ビット（以後、制御種類情報という）は、コントローラ１０が管理する制御の種類を示す。制御種類情報は、いずれかの照明装置が複数の光源を備える場合に活用される。制御種類情報は、そのような複数の光源の少なくとも１つに対する制御の種類を示すものである。制御種類情報は、マニュアル制御、自動制御、照度センサ制御、及び人感不在制御のいずれか１つを示す情報である。
【００３３】
マニュアル制御とはユーザによる操作又は一時的な調光率制御である。自動制御とは制御の目標値を実現するように行う通常制御である。照度センサ制御とは照度センサ２２が検出する空間の照度値によって照明装置をフィードバック制御することである。人感不在制御とは人感センサ２０による人体の検知状態による調光制御である。判別情報の下位４ビットの情報として、これらの制御のいずれか１つが選択されて、送信される。
【００３４】
制御種類情報（判別フラグの下位４ビット）は、例えば、制御ユニット１６が、複数のグループ番号を持ち、各グループに対する調光指令を受信した時に、優先順位をつけて動作するために設けられる。この優先順位付けされた制御種類情報は制御ユニット１６のメモリに予め記憶しておく。制御ユニット１６は、例えば、あるグループの照度センサ制御を受信した場合でも、その他のグループによって、人感不在制御を受信した場合には、照度センサ制御よりも優先順位の高い消灯制御をする。また、制御ユニット１６はあるグループで自動制御によって調光率指示を受信していた場合でも、他のグループによって強制的な制御を意味するマニュアル制御を受信した場合には、自動制御による調光率指示よりも優先順位の高いマニュアル制御による調光率に従って調光率を決定する。複数のグループ番号を持たず、調光制御の優先順位を持つ必要がない場合には、制御種類情報（判別フラグの下位４ビット）は未使用でも良い。このように、制御ユニットが複数のグループに対して指令を出す場合、制御種類情報によって制御の優先順位をつけておくことで、適切な制御が可能となる。なお、ここでは、制御ユニット１６が、受信した制御情報よりも優先順位の高い制御に変更して制御を行う場合について説明したが、受信した制御情報が優先順位が高ければ変更せずにそのまま実行するようにしてもよい。  
【００３５】
図４は、本発明の実施の形態１に係るコントローラと制御ユニットの機能ブロック図である。コントローラ１０は制御コマンド生成のための情報を受ける入力部１０ａ、制御コマンドを演算する制御コマンド生成部１０ｂ、及び制御コマンドを通信ユニット１２、３０に送信する出力部１０ｃを備えている。
【００３６】
制御ユニット１６（制御ユニット３４、４２も同様）は、制御コマンドを受ける入力部１６ａ、第１照明装置１４の制御に反映させるパラメータである第１パラメータ（調光率）が判別情報により有効とされているか判定する判定部１６ｂを備える。さらに、判定部１６ｂで第１パラメータが有効であると判定された場合に第１パラメータを抽出し第１パラメータを実現するようにＬＥＤ電源１８を制御する制御部１６ｃを備える。
【００３７】
図５は、本発明の実施の形態１に係るコントローラ１０と制御ユニット１６のハードウエア構成図である。前述の入力部１０ａは受信装置１０Ａであり、出力部１０ｃは送信装置１０Ｄである。制御コマンド生成部１０ｂは、メモリ１０Ｃと、メモリ１０Ｃに記憶されたプログラムを実行するプロセッサ１０Ｂ（例えばＣＰＵ又はシステムＬＳＩなどの処理回路）により実現される。複数の処理回路が連携して制御コマンド生成部１０ｂの機能を実行しても良い。
【００３８】
制御ユニット１６は、受信装置１６Ａ、プロセッサ１６Ｂ、メモリ１６Ｃ及び送信装置１６Ｄを備えている。前述の入力部１６ａは受信装置１６Ａである。判定部１６ｂと制御部１６ｃは、メモリ１６Ｃと、メモリ１６Ｃに記憶されたプログラムを実行するプロセッサ１６Ｂ（例えばＣＰＵ又はシステムＬＳＩなどの処理回路）と、ＬＥＤ電源１８に制御信号を出す送信装置１６Ｄにより実現される。複数の処理回路が連携して上記機能を実行しても良い。コントローラ１０と制御ユニット１６がデジタル通信などの双方向通信を行う場合は、図４に示すように、制御ユニット１６には制御ユニット１６からコントローラ１０に対して状態モニタに対する返送を行う返送用出力部１６ｄを搭載するようにすればよい。
【００３９】
本発明の実施の形態１に係る照明制御システムは様々な変形をなし得る。例えば、制御コマンドの内容は目的とする制御の内容に応じて適宜変更できる。また制御ユニットからの１つの出力によって複数の照明器具（ＬＥＤ）を制御してもよい。１台の通信ユニットに接続される照明装置、人感センサ、照度センサ又は壁スイッチの数は、構築する照明制御システムの態様に応じて変化させることができる。照明装置の種類としては調光用照明装置、色可変用照明装置、配光可変用照明装置を例示したが特にこれらに限定されるものではない。また通信ユニット１２には一種類の第１照明装置１４、通信ユニット３０には２種類の第１、第２照明装置３２、４０を接続するシステム構成を例示したが、これに限定されるものではなく、多種多様な組み合わせにてシステム構成を組むことが可能である。
【００４０】
制御ユニット１６、３４、４２は、通信ユニット１２、３０からの制御コマンドを受け、光源への調光信号（例えばＰＷＭ信号）に変換する部分である。制御ユニットを搭載せずに、ＬＥＤ電源が直接制御コマンドを受けて調光制御を行っても良い。デジタル通信制御による調光が可能な照明装置を使用する場合には、制御ユニットでデジタル通信制御を行うことで、照明装置の制御及び状態モニタを実現できる。デジタル通信制御を行って、状態モニタを行うためには、制御ユニットの機能ブロック図（図４）において、入力されたモニタコマンドに対して返信する返送用出力部１６ｄを上位側に持つようにすればよい。これらの変形は以下の実施の形態に係る照明制御システムに適宜応用することができる。なお、以下の実施の形態に係る照明制御システムは実施の形態１との共通点が多いので実施の形態１との相違点を中心に説明する。
【００４１】
実施の形態２．
本発明の実施の形態２では、コントローラ１０による制御コマンドの生成方法を説明する。照明制御システムの構成は図１のとおりである。人感センサ２０と、照度センサ２２と、壁スイッチ２４は、有線又は無線でコントローラ１０と通信する。そして、コントローラ１０は、人感センサ２０及び照度センサ２２の検出結果、並びに壁スイッチ２４の操作状態から、制御コマンドを作成する。以下に具体的に説明する。
【００４２】
人感センサ２０は、人の在／不在情報、及び人の移動スピード等の情報をコントローラ１０に通報する。人感センサ２０が人の存在を検出した場合には、コントローラ１０から、人感センサ２０と同じグループ番号の照明装置（第１照明装置１４）に対する点灯指示を含む制御コマンドを送信する。人感センサ２０が人の不在を検出した場合には、人感センサ２０と同じグループ番号の照明装置（第１照明装置１４）を消灯または減光する指示を含む制御コマンドを送信する。
【００４３】
照度センサ２２は、検出した机上面又は床面の明るさを予め設定した情報に基づき照度値［ｌｘ］に変換し、照度値情報をコントローラ１０へ送信する。コントローラ１０は照度値情報を受信すると、予め設定されている目標の明るさになるように調光率を算出し、その調光率を実現するよう制御コマンドを送信する。
【００４４】
壁スイッチ２４は異なる機能が割り当てられた複数のボタンを有している。ボタンと機能の対応関係が、壁スイッチ２４又はコントローラ１０に保存されている。そして、壁スイッチ２４のボタンが押された時に各機能が動作される。ボタンに割り当てらえる機能としては、個別の照明装置の点灯／消灯、調光率アップ／ダウン、照明装置グループ単位の点灯／消灯、調光率アップ／ダウン、大グループ制御、パターン制御、及び設定パターン制御などがある。なお、大グループ制御とは、複数の照明装置を含むグループを複数まとめて制御することである。
【００４５】
壁スイッチ２４の複数のボタンには以下の各機能が割り当てられている。
・照明装置を個別単位またはグループ単位で点灯／消灯させる機能
・壁スイッチ２４を押す度に照明装置の調光率が１％ずつ増加または減少する機能
・大グループ制御として、複数のグループを更にまとめてグループ化し、大グループとして制御する機能
・複数の照明装置の調光率がそれぞれ任意の調光率になるように、予め調光率をコントローラ１０に登録しておき、壁スイッチ２４のボタンを押すことで、登録した調光率を実現する制御コマンドを生成する、パターン制御機能
・照明制御に使用する各パラメータとして例えば、目標照度、目標調光率、上限調光率、下限調光率、フェード時間、及び人感センサ２０の動作モードを予め登録し、壁スイッチ２４のボタンを押すことで、登録した設定パラメータに変更する設定パターン機能
【００４６】
これらの機能によって、コントローラ１０から照明装置へ調光指令コマンドが送信され、その時に、実施の形態１で示した通信フォーマットによる制御を実現する。
【００４７】
実施の形態３．
図６は、実施の形態３に係る照明制御システムを示す図である。図１で示した通信ユニット１２、３０の機能をコントローラ１０、３１にて実現することで、通信ユニットを省略した。これにより、コントローラ１０が、第１照明装置１４、人感センサ２０、照度センサ２２及び壁スイッチ２４に直接接続される。コントローラ３１は、第２照明装置３２、第３照明装置４０及び壁スイッチ４８に直接接続される。このように、通信ユニットを省略し、その機能をコントローラで実現することで、構成を簡素化できる。
【００４８】
実施の形態４．
実施の形態４に係る照明制御システムは、時刻の経過に伴って照明装置の点灯／消灯状態や調光率を変化させるように予め登録しておき、該当する時刻になると点灯／消灯状態や調光率を変化させるスケジュール機能を搭載する。スケジュール機能はコントローラ１０、ゲートウェイ６０、又は中央管理装置６２のいずれの機器に搭載しても良い。
【００４９】
スケジュール機能の一例を説明する。例えばコントローラ１０に、予め年、月、日、曜日、時間、分、秒を登録しておき、マイコンのリアルタイムクロック機能やリアルタイムクロック用のＩＣを搭載して、年月日、曜日、時刻を管理する。スケジュール機能として、１日のタイムテーブルを、時刻と、調光率、色温度及び配光データとを関連付けたデータベースを管理することで記憶する。このデータベースは例えばコントローラ１０のメモリに記憶させておく。コントローラの外部のメモリに記憶してもよい。そして、タイムテーブルで予め定められた時刻になると、当該メモリに記憶された内容に基づき、点灯／消灯状態又は調光率を変化させる制御コマンドを送信する。
【００５０】
例えば、曜日ごとに１日の設定パターンを割り付ける週間スケジュールを設定したり、１年の中の特定の日時において週間スケジュールよりも優先的に用いる年間スケジュールを設定したりして日時に応じて任意の調光率、色温度、配光を実現することができる。中央管理装置６２において、照明以外の設備（空調又は入退出セキュリティなど）と連動したスケジュール機能を実現してもよい。
【００５１】
本発明の制御コマンドを用いてスケジュール機能を実現することで、迅速に任意の調光率、色温度及び配光を実現することができる。なお、コントローラ１０がスケジュール機能を担うのではなく、上位システムにスケジュール機能を持たせてもよい。また、ここまでに説明した各実施の形態で説明した特徴は適宜組み合わせて用いてもよい。
【符号の説明】
【００５２】
１０,３１  コントローラ、  １２,３０  通信ユニット、  １４  第１照明装置、  １６  制御ユニット、  ３２  第２照明装置、  ３４  制御ユニット、  ３６  電源、  ４０  第３照明装置  
【図１】
0006468019.tif 000002
【図２】
0006468019.tif 000003
【図３】
0006468019.tif 000004
【図４】
0006468019.tif 000005
【図５】
0006468019.tif 000006
【図６】
0006468019.tif 000007